(57)【要約】【課題】開放感を得るために浴槽や洗い場を有する浴室と脱衣室の間を、透明面材を組み込んだ浴室ドアで仕切ったものがあるが、人によっては透き通ることを嫌がることがあるので超高輝度ＬＥＤを組み込んだ浴室ドアを用い、自在に透明面材を遮光できることを課題とする。        【解決手段】浴室と脱衣室との間を仕切る二重構造の透明面材を組み込んだ浴室ドアであって、該面材間に超高輝度ＬＥＤを配し通電することにより発光して透明面材に導光させ、透明面材を遮光することを特徴とし、この超高輝度ＬＥＤは浴室ドアの所定間隔をおいて配された二重構造の透明面材の上部空間に組み込まれることを特徴とする。【選択図】図２
2006241879.tif 000002
【特許請求の範囲】
【請求項１】
浴室と脱衣室との間を仕切る二重構造の透明面材を組み込んだ浴室ドアであって、該透明面材間に超高輝度ＬＥＤを配し通電することにより発光して透明面材に導光させ、透明面材を遮光することを特徴とする浴室ドア。
【請求項２】
超高輝度ＬＥＤが所定間隔をおいて配された二重構造の透明面材の内部空間に組み込まれていることを特徴とする請求項１記載の浴室ドア。
【請求項３】
浴室内に遮光スイッチを設けて、浴室内より操作することで通電して遮光できることを特徴とする請求項１ないし請求項２いずれか記載の浴室ドア。
【請求項４】
透明面材の脱衣室側に人感センサーを設け、浴室内よりセンサーを操作出来ることを特徴とする請求項１ないし請求項３いずれか記載の浴室ドア。
【発明の詳細な説明】
【技術分野】
【０００１】
本発明は、浴室と脱衣室とを仕切る浴室ドアに関する。さらに詳しくは透明部材を組み込んだドア又はドアに付けた窓を希望により遮光し、浴室内を見えないようにできる浴室ドアに関するものである。
【背景技術】
【０００２】
従来、開放感を持たすため浴室と脱衣室とを仕切る浴室ドアに透明面材を組み込むことが行われている。このような浴室と脱衣場との間に透明な扉体を設けた浴室ユニットは知られている
【特許文献１】特許番号第２７３１２５８号（第２頁、第２図）
【発明の開示】
【発明が解決しようとする課題】
【０００３】
上記特許文献１に設けられた透明な扉体は、洗濯機ユニットと浴室との間に間仕切壁を形成したものであり、入浴中にも洗濯乾燥ユニットを視認できるもので、開放感を得るものではない。本発明は、開放感を得るために浴槽および洗い場のある浴室と脱衣室との間にほぼ全面にあるいはドアに付けた窓に透明面材を組み込んだ浴室ドアを用いたものであるが、しかし人によっては透きとうることを恥ずかしがり、そのために脱衣室や浴室に鍵を掛け、緊急の場合にも他の人が入室できない場合がある。
【課題を解決するための手段】
【０００４】
上記課題を解決するために、本発明に係る浴室ドアの第一の特徴構成は、請求項１に記載した如く、浴室と脱衣室との間を仕切る二重構造の透明面材を組み込んだ浴室ドアであって、該透明面材間に超高輝度ＬＥＤを配し通電することにより発光して透明面材に導光させ、透明面材を遮光する点にある。
【０００５】
同第二の特徴構成は、請求項２に記載した如く、上記の特徴構成に加えて超高輝度ＬＥＤが所定間隔をおいて配された二重構造の透明面材の内部空間に組み込まれている点にある。
【０００６】
同第三の特徴構成は、請求項３に記載した如く、浴室内に遮光スイッチを設けて、浴室内より操作することで通電して遮光できる点にある。
【０００７】
同第四の特徴構成は、請求項４に記載した如く、透明面材の脱衣室側に人感センサーを設け、浴室内よりセンサーを操作できる点にある。
【発明の効果】
【０００８】
請求項１に記載の浴室ドアは前記構成であり浴室と脱衣室とを仕切る二重構造の透明面材において、該透明面材間に超高輝度ＬＥＤを配しており該超高輝度ＬＥＤに通電することで該超高輝度ＬＥＤが発光し導光して透明面材を遮光するものであり、開放感を得るために透明にしておきたい場合や、都合により遮光したい場合など好みに応じて自由に操作することができる。
【０００９】
請求項２に記載の浴室ドアは前記構成であり超高輝度ＬＥＤが所定間隔をおいて配された二重構造の透明面材の内部空間に組み込まれているので、全面透明ドアであっても発光により全面を瞬時に遮光することができる。
【００１０】
請求項３に記載の浴室ドアは前記構成であり浴室内に遮光スイッチがあるので入浴中であっても浴室内より操作することで遮光や透明化ができ、その時の気分や都合により遮光や透明化を自由に選択することができる。
【００１１】
請求項４に記載の浴室ドアは前記構成であり脱衣室側に人感センサーが設けられているので、入浴中にセンサーを作動させることで他の人が入ってきた時だけ自動的に遮光でき、その時以外は透明感が得られるものである。
【発明を実施するための最良の形態】
【００１２】
以下、本発明の実施形態について図面を参照して、詳細に説明する。図１ないし図３は本発明に係る浴室ドアの一実施例を示すものである。図1は浴室１での配置を示し該浴室１は浴槽１１と洗い場１２とからなっている。洗い場１２には照明１３、鏡１４、カラン１５が配されている。洗い場１２と脱衣室２とは浴室ドア３で仕切られている。
【００１３】
図２は浴室ドア３の遮光時の状態をを示すもので、開放感を得るために透明面材３１、多くの場合、浴室ドア３のドア枠材３３を除いて導光性の高い透明プラスチックが張られている。浴室ドア３は全面が透明面材３１の場合もあるが、浴室ドア３に窓部を設け、窓部にのみ透明面材３１が設けられている場合であっても良い。浴室ドア３としては図２にあるようなドアノブ３４のある開きドア、両面引き違いドア、片面引きドア、あるいは折畳みドアなどいずれも使用でき、特に限定されるものでない。浴室ドア３は通電しない時は透明であるが、浴室１に設けた遮光スイッチ１６（図１参照）を入れ電源ボックス１９から超高輝度ＬＥＤ４に通電することにより瞬時に超高輝度ＬＥＤ４が発光し、透明面材３１に導光することで浴室ドア３の透明面材３１が遮光される。
【００１４】
一方人感センサー１８は脱衣室２の天井面に設けられ人を感知することができる。人感センサー１８が人を感知すると電源ボックス１９から超高輝度ＬＥＤ４に通電され、浴室ドア３の透明面材３１が瞬時に遮光される。遮光は人感センサー１８が感知している間だけであり、感知しなくなると電流は遮断され元の状態に戻る。
【００１５】
浴室ドア３は、図３にあるように浴室ドア３の透明面材３１の内部空間にＬＥＤユニット３２が組み込まれており、その構成は所定間隔をおいて配された二枚の透明面材３１の間に一定間隔毎に超高輝度ＬＥＤ４が配されている。そしてＬＥＤユニット３２に通電することで超高輝度ＬＥＤ４が発光し、該光が透明面材３１に導光され浴室ドア３が遮光されるものである。
【００１６】
超高輝度ＬＥＤ４は低消費電力であるので両面引き違いドアのような広面積の場合も使用電力は少なく、通電により瞬時に発光し頻繁な電源の入り切りでも寿命に影響しない特性があるが、水に敏感なので浴室ドア３において透明面材３１の二重構造の内部空間に組み込むことでドア枠材３３と合わせて防水性を高めることができる。
【００１７】
本発明の浴室ドア３はこのようなものであるから、入浴時透明な状況が嫌な人は浴室内の遮光スイッチ１６をＯＮにする。そうすると、超高輝度ＬＥＤ４が発光することにより該光が透明面材３１に導光され、その結果脱衣室２から浴室１内は見通すことができないものとなる。一方開放感を好むが脱衣室２に他人が入って来た時だけ遮光したい場合は、センサースイッチ１７をＯＮにしておけば、脱衣室２に人が入ってきた場合には人感センサー１８が感知しＬＥＤユニット３２に通電し、瞬時に超高輝度ＬＥＤ４が発光し透明面材３１に導光され透明面材３１を遮光する。このように入浴する人の好みに応じて透明面材３１の遮光をＯＮ、ＯＦＦできるので裸体を見られるのが嫌なために、脱衣室２や浴室１に鍵を掛ける必要がないので緊急時にも対応が可能なものである。
【図面の簡単な説明】
【００１８】
【図１】本発明に係る浴槽、洗い場、浴室ドアおよび脱衣室の配置を示す縦断面図である。
【図２】浴室ドアの遮光時の状態を示す正面図。
【図３】図２に示す浴室ドアのＡ−Ａ線より上部を見た場合のＬＥＤユニットと超高輝度ＬＥＤの配置図。
【符号の説明】
【００１９】
１      浴室
１１    浴槽
１２    洗い場
１３    照明
１４    鏡
１５    カラン
１６    遮光スイッチ
１７    センサースイッチ
１８    人感センサー
１９    電源ボックス
２      脱衣室
３      浴室ドア
３１    透明面材
３２    ＬＥＤユニット
３３    ドア枠材
３４    ドアノブ
４      超高輝度ＬＥＤ
【図１】
2006241879.tif 000003
【図２】
2006241879.tif 000004
【図３】
2006241879.tif 000005